(57)【要約】      （修正有）【課題】衛生面を特に重視の観点から暫時スイッチボタンの操作でトイレット用紙が流れ出て切断機５で使用出来るトイレ用紙自動取出器を提供する。【解決手段】モーター３の使用に依りそのスイッチボタンを押さえている間、用紙が流れ出る様に出て用紙は他人の手に触れる事がなくボタンを放すとモーター３は停止して必要分を切断器５に依り切取り所用を果たす。本体に内蔵されたロール４がなくなればロール出入り口９の円形の蓋を取り外しロール空間４に新しい別のロール４を挿入し、ロール紙４の先端を上部のロール取出口から引出し動力シャフト１の上面に用紙を並べつつロール切断機５まで引出す。【選択図】図３
0003112593.tif 000002
【実用新案登録請求の範囲】
【請求項１】
本考案の基礎は使用紙の水漏れ防止のためポリエチレン製の容器の中に全面的に水漏れ防止を考案第３０９７３３９号を登録されておりますが、その実用新案に取出しの用紙が取り出しにくいとと不足がありボタン一つで簡単に出来る如く図１の発案となり、サイクロノウズモーター▲３▼利用に依りその効果で多いに利用されると考えます。故にトイレの使用々紙の経済的にも衛生的な取り出し方を請求の範囲とします。
【考案の詳細な説明】
【考案の詳細な説明】
以上の請求項に説明のとおり衛生面を特に考慮した考えの素に図１に説明のとおりボタンを押さえる間、用紙が流れる如く出て放す事により紙の回転が止まり用紙は停止します。次に取付後はロール紙を円形▲９▼出入口の蓋を用具から取り外しロールを入れ上部の先端取出口よりロールから引張り出し上部の開口部の先端より動軸▲１▼と静軸▲２▼にその先端をあてがい用紙の蓋を閉めてスイッチを通電するとサイクロノウズモーター▲３▼が作用して蓋に取り付けてあるモータから動軸を回転させ動軸と静軸の間に挟まれた用紙は回転し出口へ運ばれ必要の量が出てくるとボタンを放す。停止した用紙をロール紙切断線で切断に依り所要を果たします。暫次ボタンだけの操作で用紙が出し口から利用し、ロール紙が無くなると最初の様にロール紙挿入口より初期の如くロール紙板▲６▼に補給して先端を取出口より取出して静軸の上におき動軸の蓋を閉め次の操作に移ります。
【図面の簡単な説明】［図１］  本体の構造がよく認識出来る様に回転部分▲１▼に表し、その側面図を［図２］とします。
この回転部分は図のサイクロノウズモーター▲３▼の運転に依り動軸▲１▼が作動初め、その間にあるロール紙▲４▼を回転させながら用紙を取出口の方へ運びます。
取出口から出て来た用紙を用紙切断面▲５▼で切り使用しつつ用を足します。
［図２］  側面図はロールの位置ロール回転軸▲１▼を又、回転軸からその面に方法を二重のカラー▲８▼により円満な回転が出来る様に考案してあります。
［図３］
本体▲１▼より上蓋を開いて用紙の取出口▲９▼より簡単に又、設備も同様に確実に運転し易いよう静軸▲２▼に上に置くだけの様子を表すものとする。
【符号の説明】
▲１▼ロールを回す動力シャフト
▲２▼ロールを回される静動シャフト
▲３▼サイクロノウズモーターＤ５
▲４▼ロールの位置
▲５▼ロールの切断箇所である
▲６▼二重ロール装置
▲７▼動力装置保護蓋
▲８▼ロール二重装置
▲９▼ロール出し入れ蓋
▲１０▼取付架台
【図１】
0003112593.tif 000003
【図２】
0003112593.tif 000004
【図３】
0003112593.tif 000005
【手続補正書】
【提出日】平成17年1月25日(2005.1.25)
【手続補正１】
【補正対象書類名】実用新案登録請求の範囲
【補正対象項目名】全文
【補正方法】変更
【補正の内容】
【実用新案登録請求の範囲】
【請求項１】
本考案はトイレットペーパーの使用に水濡れ防止の為ポリエチレン製の容器に全面的に水濡れ防止を考案されておりますが、そのペーパー用紙が取り出し難い点があり、このボタン一つで簡単に取り出せる様に図１の発案となり、モーター３利用に依りその効果で多いに利用されると考えます。
故にトイレの使用々紙の経済的、衛生的にも取り出す方法を請求の範囲とします。
【手続補正２】
【補正対象書類名】明細書
【補正対象項目名】全文
【補正方法】変更
【補正の内容】
【考案の詳細な説明】
【技術分野】
【０００１】  水濡れ及衛生面を特に考慮した考えの基に図１に説明の通りモーター３の使用に依りそのスイッチボタン１０を押さえている間、用紙が流れ出る様に出て用紙は他人の手に触れる事がなくボタン１０を放すとモーター３は停止して必要分を切断器５に依り切取り所用を果たします。
【背景技術】
【０００２】  本体に内蔵されたロール４がなくなればロール出入り口９の円形の蓋を取り外しロール空間４に新しい別のロール４を挿入し、ロール紙４の先端を上部のロール取出口から引出し動力シャフト１の上面に用紙を並べつつロール切断機５まで引出します。
ロール４を再挿入時は二重ロール装置６の間に図２の如く左右２枚の二重ロール受装置間に挟み、ロールが円満に回転して動力シャフト１の上面と静シャフト２の下面の間に通る様にロール取出口の蓋７を閉めます。
然る後、使用する時はスイッチボタン１０を押して用紙が切断器を通り本体外に流れ出てボタンを離し必要量を切取り使用します。
衛生面を考え暫時スイッチ１０の操作だけで用紙が流れ出て切断して使用します。
【考案の効果】
【０００３】  衛生面を特に重視の観点から暫時スイッチボタン１０の操作でトイレット用紙が流れ出て切断機５で使用します。
【図面の簡単な説明】
【０００４】
【図１】  本体の構造がよく認識出来る様に回転部分１に表し、その側面図を［図２］とします。  この回転部分は図のサイクロノウズモーター３の運転に依り動軸１が作動初め、その間にあるロール紙４を回転させながら用紙を取出口の方へ運びます。  取出口から出て来た用紙を用紙切断面５で切り使用しつつ用を足します。
【図２】  側面図はロールの位置ロール回転軸１を又、回転軸からその面に方法を二重のカラー８により円満な回転が出来る様に考案してあります。
【図３】  本体１より上蓋を開いて用紙の取出口９より簡単に又、設備も同様に確実に運転し易い様、静軸２の下に置くだけの様子を表すものとする。
【符号の説明】
【０００５】  ０  本体
１  ロールを回す動力シャフト
２  ロールを回される静動シャフト
３  サイクロノーズモーターＤ５
４  ロールの位置
５  ロール切断箇所である
６  二重ロール受け装置
（本体の中心にロールを挟んで回転が容易になる装置）
７  動力装置保護蓋
８  二重ロール受け装置
９  ロール紙取出し蓋
１０  サイクロノウズモーター用スイッチボタン
【手続補正３】
【補正対象書類名】図面
【補正対象項目名】全図
【補正方法】変更
【補正の内容】
【図１】
0003112593.tif 000006
【図２】
0003112593.tif 000007
【図３】
0003112593.tif 000008
【手続補正書】
【提出日】平成17年4月13日(2005.4.13)
【手続補正１】
【補正対象書類名】実用新案登録請求の範囲
【補正対象項目名】全文
【補正方法】変更
【補正の内容】
【実用新案登録請求の範囲】
【請求項１】
トイレ用紙を収める本体部と、前記本体部の上方に設けられた動力軸及び静動軸と前記動力軸及び静動軸の上方に設けられた動力設備保護蓋と前記本体部の側面に設けられた動力軸を動かす為のサイクロノウズモーターと前記本体部の側面に設けられた前記サイクロノウズモーターを動作させるためのボタンを有したトイレ用紙自動取出し器。